(57)【要約】      （修正有）【課題】緊急時等において、電子機器におけるプラグ端子とソケット端子との結合を迅速・円滑に行なえるようにした結合機構を提供する。【解決手段】カート５の支柱５５の一部に設けられるものであって、上記カート５上に搭載された電子機器等への給電機能を有する一方の通電コネクタを主に形成されるソケット端子１と、ソケット端子１に形成された上記一方の通電コネクタと電気的に結合するもう一方の通電コネクタ２３を有するものであって上記ソケット端子１と機械的に結合するプラグ端子２と、からなる。また、当該プラグ端子２の周りには、ソケット端子１全体を包むように形成されたフラップ状のガイド３が設けられる。【選択図】図１
2018181431.tif 000002
【特許請求の範囲】
【請求項１】
所定の差し込み片を有するプラグ端子と、当該プラグ端子に設けられた差し込み片の挿入される受け口を有するソケット端子と、からなるものにおいて、上記プラグ端子を形成する上記差し込み片の周りに、当該プラグ端子側差し込み片の上記ソケット端子側受け口への挿入を導くように形成されたフラップ状ガイドを設けるようにした構成からなるなることを特徴とする操作の簡単な結合機構を有する通電装置。
【請求項２】
請求項１記載の通電装置において、上記プラグ端子側差し込み片の周りに設けられる上記フラップ状ガイドのそれぞれを、その先端部のところが末拡り状に開いた形態からなるようにするとともに、全体的に弾性変形が可能なように形成させるようにした構成からなることを特徴とする操作の簡単な結合機構を有する通電装置。
【請求項３】
請求項１または請求項２記載の通電装置において、上記フラップ状ガイドを、上記プラグ端子側差し込み片の周りであって、本プラグ端子の下側並びに左右の両側面部のところに設けるようにした構成からなることを特徴とする操作の簡単な結合機構を有する通電装置。
【請求項４】
所定の差し込み片を有するプラグ端子と、当該プラグ端子に設けられた差し込み片の挿入される受け口を有するソケット端子と、からなるものにおいて、上記ソケット端子の横断面形態を楕円形からなるようにするとともに、このようなソケット端子と結合するプラグ端子の差し込み片周りに、両者の結合時に上記ソケット端子全体を下側から支えるように形成されるものであって上側が開いたＵ字状の枠状形態からなるガイドを設けるようにしたことを特徴とする操作の簡単な結合機構を有する通電装置。
【請求項５】
請求項１ないし請求項４のいずれかに記載の通電装置において、上記プラグ端子側に形成される差し込み片を、その取付部において、差し込み片自体がその取付面上にて３６０°首振り運動をすることが可能なようにした構成からなることを特徴とする操作の簡単な結合機構を有する通電装置。
【発明の詳細な説明】
【技術分野】
【０００１】
本発明は、病院等において、看護士等が患者診察時における諸データの収集に用いられるパーソナルコンピュータ等の諸機器（以下電子機器と言う）を搭載するためのカート（以下看護士用カートと言う）における当該電子機器と上記看護士用カートに設けられた電源（主に１００Ｖ電源）とを電気的に連結するための接続装置、すなわち、コネクターを主に形成される通電装置に関するものである。
【背景技術】
【０００２】
一般に、上記電子機器類と施設内に設けられた電源との間の接続は、例えば特開２０１７−４８８９号公報（以下特許文献１と言う）、または、再公表特許公報ＷＯ２００９／０９５９７４号（以下特許文献２と言う）記載の如く、一方の雄型プラグ端子を、もう一方の雌型ソケット端子側へ差し込むことによって、電気的な接続（通電）が成されるようになっているものである。
【先行技術文献】
【特許文献】
【０００３】
【特許文献１】特開２０１７−４８８９号公報
【特許文献２】再公表特許公報ＷＯ２００９／０９５９７４号
【発明の概要】
【発明が解決しようとする課題】
【０００４】
ところで、上記従来のものは、交流１００Ｖ電源を基本としているものであるため、プラス用及びマイナス用の２枚の差し込み片を有する形態からなるものである。そして、このような２枚の差し込み片を有する雄型プラグ端子を形成する、その２枚の差し込み片を、雌型ソケットを形成する２つの受け口のところに、操作者自身の手指等を用いて挿入（
押し込み）させ、これによって電子機器の通電を行なわせるようにしているものである。このように、上記一般の電子機器においては、電源取得のための諸動作に当っては、看護士等の操作者が、自身の手にて、かつ、目視にて上記プラグ端子のソケット端子への挿入を行わねばならず、緊急時、あるいは、繁忙時等においては手間がかかり、煩わしいと言う問題点がある。このような問題点を解決するために、上記プラグ端子のソケット端子への挿入、すなわち、両者の結合を円滑に行なうことのできるような挿入ガイドを設け、これによって両者間の結合を円滑に行なわせるようにするとともに両者間における電気的結合（接続）を円滑に行なわせるようにした、操作の簡単な結合機構を有する通電装置を提供しようとするのが、本発明の目的（課題）である。
【課題を解決するための手段】
【０００５】
上記課題を解決するために、本願発明においては次のような手段を講ずることとした。すなわち、請求項１記載の発明である第一の発明においては、操作の簡単な結合機構を有する通電装置に関して、所定の差し込み片を有するプラグ端子と、当該プラグ端子に設けられた差し込み片の挿入される受け口を有するソケット端子と、からなるとともに、上記プラグ端子を形成する上記差し込み片の周りに、当該プラグ端子側差し込み片の上記ソケット端子側受け口への挿入を導くように形成されたフラップ状のガイド（フラップ状ガイド）を設けるようにした構成を採ることとした。
【０００６】
次に、請求項２記載の発明である第二の発明においては、請求項１記載の操作の簡単な結合機構を有する通電装置に関して、上記プラグ端子の差し込み片周りに設けられる上記フラップ状ガイドのそれぞれを、その先端部のところが末拡り状に開いた形態からなるようにするとともに、全体的に弾性変形が可能なように形成させるようにした構成を採ることとした。
【０００７】
次に、請求項３記載の発明である第三の発明においては、請求項１または請求項２記載の操作の簡単な結合機構を有する通電装置に関して、上記フラップ状ガイドを、上記プラグ端子側差し込み片の周りであって、当該プラグ端子の下側並びに左右の両側面部のところに設けるようにした構成を採ることとした。
【０００８】
次に、請求項４記載の発明である第四の発明においては、操作の簡単な結合機構を有する通電装置に関して、所定の差し込み片を有するプラグ端子と、当該プラグ端子に設けられた差し込み片の挿入される受け口を有するソケット端子と、からなるものにおいて、上記ソケット端子の横断面形態を楕円形からなるようにするとともに、このようなソケット端子と結合するプラグ端子の差し込み片周りに、両者の結合時に上記ソケット端子を下側から支えるように形成されるものであって上側が開いたＵ字状の枠状形態からなるガイドを設けるようにした構成を採ることとした。
【０００９】
次に、請求項５記載の発明である第五の発明においては、請求項１ないし請求項４のいずれかに記載の操作の簡単な結合機構を有する通電装置に関して、上記プラグ端子側に形成される差し込み片を、その取付部において、上記差し込み片自体がその取付面上にて３６０°首振り運動をすることが可能なようにした構成を採ることとした。
【発明の効果】
【００１０】
請求項１記載の発明である第一の発明のものにおいては、上記プラグ端子とソケット端子との結合（接合）が操作者の手にて円滑に、かつ、効率良く進められることとなる。具体的には、上記プラグ端子を形成する差し込み片の上記ソケット端子側に形成される受け口への挿入に当っては、上記プラグ端子側に設けられたフラップ状ガイドが、上記ソケット端子との結合を案内する。これによって、プラグ端子側に形成された差し込み片のところへは、上記ソケット端子側に形成された受け口が正確に導かれることとなる。その結果、上記差し込み片と上記受け口との結合が確実に遂行されることとなり、両者の結合が簡単な操作にて確実に行なわれることとなる。その結果、両者間の電気的接続が確実に成されることとなる。
【００１１】
また、請求項２記載の発明である第二の発明のものにおいては、上記プラグ端子の差し込み片周りに形成されるフラップ状ガイドの、それぞれの先端部のところが拡がった（開いた）形態からなるものであるので、剛体状のソケット端子の受け入れ（導入）が円滑に行なわれることとなる。すなわち、プラグ端子とソケット端子との結合が円滑に、かつ、手際良く行なわれることとなる。
【００１２】
また、請求項３記載の発明である第三の発明のものにおいては、プラグ端子側に設けられるフラップ状ガイドを、差し込み片の取付面の周りであって、その下方部と、左右の両側面部と、に形成させるようにしたので、プラグ端子とソケット端子との結合に当って上記ソケット端子を下方から支えるとともに、左右方向においては上記ソケット端子を導くように保持することとなる。これによって、プラグ端子とソケット端子との結合が円滑に進められることとなる。その結果、プラグ端子側差し込み片のソケット端子側受け口への差し込み（挿入）が円滑に進められることとなり、両者の結合が確実に行なわれることとなる。
【００１３】
また、請求項４記載の発明である第四の発明のものにおいては、プラグ端子側に設けられるフラップ状ガイドを、全体がＵ字状の形態からなるものであってソケット端子の下方部と、左右の両側面部と、を支えるようになっているので、プラグ端子とソケット端子との結合が円滑に進められることとなる。その結果、プラグ端子側差し込み片のソケット端子側受け口への差し込み（挿入）が円滑に進められることとなり、両者の結合が確実に行なわれることとなる。
【００１４】
また、請求項５記載の発明である第五の発明のものにおいては、プラグ端子側差し込み片のソケット端子側受け口への挿入（差し込み）に当って、プラグ端子側差し込み片が、その付け根部において取付面上にて３６０°首振り運動をすることが可能なようになっていることより、上記ソケット端子側受け口とプラグ端子側差し込み片との間において、多少の位置ズレがあったとしても差し込み片自体が所定の首振り運動をすることによって挿入位置（差し込み位置）の自動調整が成されることとなる。これによって、プラグ端子側差し込み片のソケット端子側受け口への挿入（差し込み）が円滑に、かつ、手際良く行われることとなる。すなわち、両者間の結合が確実に行なわれることとなり、最終的には電気的結合が効率良く進められることとなる。
【図面の簡単な説明】
【００１５】
【図１】本発明の全体構成を示す斜視図である。
【図２】本発明にかかるプラグ端子及びソケット端子の具体的構成を示す展開斜視図である。
【図３】本発明にかかるプラグ端子及びソケット端子の具体的構成を示す平面図である。
【図４】本発明にかかるプラグ端子とソケット端子との具体的構成を示すものであって、図３におけるＢＢ断面部を示すもの（ＢＢ断面図）である。
【図５】本発明にかかるプラグ端子に形成される差し込み片と、ソケット端子に形成される受け口と、の間の具体的構成を示すものであって図３におけるＡＡ断面部を示すもの（ＡＡ断面図）である。
【図６】本発明における変形例を示すものであってソケット端子の横断面形態が楕円形からなるものについての全体構成を示す展開斜視図である。
【発明を実施するための形態】
【００１６】
本発明を実施するための形態について、図１ないし図６を基に説明する。本実施の形態にかかるものは、例えば図１に示す如く、看護士等が所定の電子機器等を搭載して持ち運びするカート５の支柱５５の一部に設けられるものであって、当該看護士用のカート５上に搭載された電子機器等への給電機能を有する一方の通電コネクタ１３を主に形成されるソケット端子１と、当該ソケット端子１に形成された上記通電コネクタ１３と電気的に結合するもう一方の通電コネクタ２３を有するものであって上記ソケット端子１と機械的に結合するプラグ端子２と、からなることを基本とするものである。
【００１７】
このような基本構成からなるものにおいて、上記ソケット端子１は、上記通電コネクタ１３の周りに、例えば図１または図２に示す如く、所定の受け口１１が平行なように二個設けられるようになっている。このようなソケット端子１と結合するプラグ端子２側には上記ソケット端子１を形成する二個の受け口１１、１１に挿入される２本の差し込み片２１、２１が設けられるようになっている。なお、このような二本の差し込み片２１、２１の間には、上記ソケット端子１側に設けられた一方の通電コネクタ１３と電気的に結合するもう一方の通電コネクタ２３が設けられるようになっている。また、このようなもう一方の通電コネクタ２３の周りには、所定の磁石８が設けられるとともに、このような磁石８と対面するように上記ソケット端子１側の上記一方の通電コネクタ１３の周りには鉄片等からなる吸着片８１が設けられるようになっている。このような磁石８と吸着片８１との作用により、上記両電通コネクタ１３、２３間の接合はより確実になり、上記電子機器への給電機能は確実なものとなる。その結果、上記電子機器操作時おいて電子的なバグ等の発生を未然に抑止することができるようになる。
【００１８】
なお、このような構成からなる本プラグ端子２の周りには、例えば図２または図３に示す如く、上記プラグ端子全体を包むように形成されたフラップ状のガイドが設けられるようになっている。このフラップ状のガイド３は、具体的には、図２または図３に示す如く、全体が板状の部材からなるものであって、その先端部のところが末拡がり状に開いた形態からなるものである。そして、その具体的構成は、図２または図３に示す如く、プラグ端子２の下方部に設けられるものであって、ソケット端子１との結合に当って当該ソケット端子１を下方から支えるように形成されたアンダフラップガイド３１と、上記プラグ端子２の側面部に設けられるものであって上記ソケット端子１の両側面部を保持するように形成されるサイドフラップガイド３２、３２と、からなるものである。このようなフラップ状部材にて形成されるガイド３によって、ソケット端子１とプラグ端子２との結合、具体的にはプラグ端子２側に形成された２本の差し込み片２１、２１の上記ソケット端子１側に形成された二つの受け口１１、１１への挿入が、簡単な操作にて、円滑に、かつ、手際良く進められることとなる。
【００１９】
このようにして、２つの端子１、２の結合が成されると、これに伴って、例えば図４に示す如く、ソケット端子１側に形成された通電コネクタ１３とプラグ端子２側に形成された通電コネクタ２３との間の電気的接合（結合）が成されることとなる。その結果、看護士用のカート５上等に搭載された電子機器への電源供給が成され、看護士等は電子機器の操作を通じて、診察に基づく所定のデータ処理を円滑に行なうことができることとなる。
【００２０】
このような構成からなるものにおいて、上記プラグ端子２側における差し込み片２１の取付部の構造は、例えば図５に示す如く、上記差し込み片２１が、その取付面２５上において、所定の範囲内にて首振り運動が可能なようになっている。具体的には、上記差し込み片２１の根元部２１５のところであって、上記プラグ端子２を形成する、その取付面２５との間に所定のコイルスプリング７が設けられるようになっている。このように、プラグ端子２側の差し込み片２１が、その付け根部において取付面２５上にて３６０°首振り運動をすることが可能なようになっていることより、上記ソケット端子１側の受け口１１とプラグ端子２側の差し込み片２１との間において、多少の位置ズレがあったとしても差し込み片２１自体が所定の首振り運動をすることによって挿入位置（差し込み位置）の自動調整が成されることとなる。これによって、プラグ端子２側差し込み片２１のソケット端子１側受け口１１への挿入（差し込み）が円滑に、かつ、手際良く行われることとなる。すなわち、両者間の結合が簡単な操作にて効率良く進められることとなる。
【００２１】
次に、本発明にかかる第二の実施の形態（変形例）について図６を基に説明する。このものは、ソケット端子１の、その横断面形態が楕円形からなるものであることを基本とするものである。そして、このような楕円形横断面形態を有するソケット端子１と結合するプラグ端子２の、その外周部には上記ソケット端子１の下半分を保持するように形成されるものであって上側が開いた枠状の形態からなるガイドが設けられるようになっている。具体的には、図６に示す如く、横断面形態が楕円形からなるソケット端子１と、このようなソケット端子１と結合するプラグ端子２と、からなるものにおいて、当該プラグ端子２の差し込み片２１、２１の周りには、両者の結合時に楕円形の横断面形態を有するソケット端子１の下半分を囲むように形成されたＵ字状の形態からなるガイド３’が設けられるようになっている。
【００２２】
このような構成を採ることによって、本実施の形態にかかるものにおいては、楕円形の横断面形態からなるソケット端子１側受け口１１、１１へのプラグ端子２側の差し込み片２１、２１の導入に当っては、Ｕ字状の枠状形態からなる上記ガイド３’の内面が楕円形横断面形態からなるソケット端子１の下半分を支えるように保持するとともに、ソケット端子１を誘導するようになる。これによって、上記プラグ端子２の差し込み片２１のところが、上記ソケット端子１側の受け口１１へと誘導され、上記ソケット端子１とプラグ端子２との結合が円滑に進められることとなる。その結果、上記ソケット端子１とプラグ端子２との結合が、手際良く、かつ、円滑に進められることとなり、両者間における電気的な接合（結合）が確実に行なわれることとなる。
【符号の説明】
【００２３】
１  ソケット端子
１１  受け口
１３  通電コネクタ
２  プラグ端子
２１  差し込み片
２１５  根元部
２３  通電コネクタ
２５  取付面
３  ガイド
３’  ガイド
３１  アンダフラップガイド
３２  サイドフラップガイド
５  カート
５５  支柱
７  コイルスプリング
８  磁石
８１  吸着片
【図１】
2018181431.tif 000003
【図２】
2018181431.tif 000004
【図３】
2018181431.tif 000005
【図４】
2018181431.tif 000006
【図５】
2018181431.tif 000007
【図６】
2018181431.tif 000008